(57)【要約】      （修正有）【課題】電柱間の電線やケーブル等の架空線から分岐させて引き込み線用ケーブルを電力需要家等に引き込む場合であって、特に他の電線やケーブル等の上を通して引き込み線用ケーブルを引き込む際、地上から操作棒を使って容易にかつ確実に架空線を乗り越えることができる。【解決手段】軸受け１にわたした軸２に略半円形の回転体３を軸支し、軸受けの両側からアーム４を突設し、これらの各アームの先端に水平ガイド体５を設け、回転体の一側に切り欠き部３ａを設け、軸受けに固定した定荷重ばね７のばね端７ａを回転体に固定し、当該定荷重ばねの力で常時回転体の切り欠き部３ａの開口部が一方の水平ガイド体に対向するようにし、上記回転体の外周縁に沿って設けたレール体９を摺動自在に把持する一定長の把持部１０ａを一側に有する摺動体１０を設け、この摺動体に支持されたロープ止め１１の端部は、他方の水平ガイド体に当接自在である。【選択図】図１
2006115633.tif 000002
【特許請求の範囲】
【請求項１】
操作棒の先端に取り付けられる、間隔をあけて設けた二枚の板体の下端をつないだ軸受けを設け、この軸受けの二枚の板体間に軸をわたし、この軸に略半円形の回転体を軸支し、上記軸受けの各板体の両側からアームを突設し、これらのアームの先端の上記回転体の両側外方箇所で水平ガイド体を設け、上記回転体の一側に切り欠き部を設け、上記軸受けに固定した定荷重ばねのばね端を上記回転体に固定し、当該定荷重ばねの力で常時回転体の切り欠き部の開口部が一方の水平ガイド体の上面に対向するようにし、上記回転体の外周縁に沿ってレール体を設け、このレール体を摺動自在に把持する、レール体と同曲率の一定長の把持部を一側に有する摺動体を設け、この摺動体に一端を支持されたロープ止めの他端は、上記他方の水平ガイド体の上面に当接自在であることを特徴とする、架空線の上越し工具。
【請求項２】
回転体の回転を阻止するストッパーを軸受けの二枚の板体間に設け、このストッパーは上記回転体の切り欠き部の開口部が一方の水平ガイド体の上面に対向する位置で回転体の一側が当接する位置に設けたことを特徴とする、請求項１に記載の架空線の上越し工具。
【請求項３】
上記ロープ止めにロープを止めるフックを設けたことを特徴とする、請求項１又は２に記載の架空線の上越し工具。
【発明の詳細な説明】
【技術分野】
【０００１】
この発明は、電柱間に支持された多数の電線、ケーブル等から、分岐して引き込み線用ケーブルをとる場合、当該分岐箇所と引き込み箇所の間にある他の電線又はケーブルを乗り越えて引き込まなければならないが、このような引き込み線用ケーブルを地上の操作により他の電線やケーブル等の架空線の上を乗り越えさせる工事作業に使用する架空線の上越し工具に関するものである。
【背景技術】
【０００２】
図８に示すように、電柱５１間では、多数種の電線やケーブル、ＣＡＴＶ線、電話線等が支持されている。これらの電線やケーブル等５２から分岐させた引き込み線用ケーブル５３によって電力需要家等５４に引き込んでいる。このような引き込み線用ケーブル工事において、当該引き込み線用ケーブル５３は分岐箇所から、電力需要家等５４の引き込み箇所までに、他の電線やケーブル等５２がある場合が多く、地上から引き込み線用ケーブル５３を取り付ける場合、これらの他の電線やケーブル等５２の上を乗り越えさせなければならない。
【０００３】
このような引き込み線用ケーブルの他の電線又はケーブル等の上越し作業には、従来、図９に示すような上越し工具を使用している。
この上越し工具５５は、図９（ｂ）に示すように伸縮式の操作棒５５ａの先端にレール体５５ｂを水平に設け、このレール体５５ｂに逆Ｕ字形状のフック５５ｃの両脚５５ｃ１、５５ｃ２を摺動自在に取り付けたものである。この上越し工具５５は、図９（ａ）の右側の図に示すように、上記フック５５ｃの一方の脚５５ｃ１を外方に突出させて他方の脚５５ｃ２をレール体５５ｂの一端に位置させ、上記フック５５ｃの突出した脚５５ｃ１の下端にロープ５６の一端を取り付け、電線やケーブル等５２にこのロープ５６とともにフック５５ｃを上から引っ掛ける。そして、図９（ａ）の中央の図に示すように、この状態で操作棒５５ａを水平にずらし、フック５５ｃの他方の脚５５ｃ２を外方に突出させて一方の脚５５ｃ１をレール体５５ｂの他端に位置させ、その後、図９（ａ）の右側の図に示すように、操作棒５５ａを上に持ち上げ、フック５５ｃを電線やケーブル等５２から外す。これによりロープ５６は電線やケーブル等５２の上を越えることとなる。
【０００４】
そして、このロープ５６を二本目の電線やケーブル等５２´の上を越えさせる場合、図９（ｂ）図に示すように、操作棒５５ａを１８０度回転させる。これにより図９（ｃ）の左側の図に示すように、フック５５ｃの他方の脚５５ｃ２はレール体５５ｂの一端の外方に突出し、フック５５ｃの一方の脚５５ｃ１はレール体５５ｂの一端に位置し、ロープ５６の一端は一方の脚５５ｃ１の下端に取り付けられた状態となる。そこで、この状態のフック５５ｃを電線やケーブル等５２´に上から引っ掛けて、図９（ｃ）の中央の図に示すように、操作棒５５ａを水平にずらし、フック５５ｃの一方の脚５５ｃ１を外方に突出させて他方の脚５５ｃ２をレール体５５ｂの他端に位置させ、その後、図９（ｃ）の右側の図に示すように、操作棒５５ａを上に持ち上げ、フック５５ｃを電線やケーブル等５２´から外す。これによりロープ５６は二本目の電線やケーブル等５２´の上を越えることとなる。このようにしてロープ５６を多数本の電線やケーブル等５２の上越えをさせ、これらの作業を終了後、上記ロープ５６の後端に引き込み線用ケーブルを取り付けて、上記ロープ５６を引っ張り、引き込み線用ケーブルに取り替える。
【０００５】
しかしながら、この図８の上越し工具は、操作棒の下部を作業員がもち、操作棒の先端のフックをレール体に沿って動かさなければならず、操作棒のフックを電線やケーブル等５２に引っ掛けて操作棒を横にずらしても、操作棒がしなる等して思うように上記フックが摺動せず、きわめて手間のかかる作業であり、かつ熟練を要するものであった。
【０００６】
そこで、図１０に示す上越し工具が開発された。この工具は、操作棒５８の先端に回転体５９の軸受け体６０を設け、上記回転体５９は、外周の三箇所に切り欠き部５９ａを設け、上記軸受け体６０からアーム６１を突出させて、回転体５９の両側外方に位置する先端に水平ガイド体６２を設け、回転体５９の外周縁に沿ってレール体５９ｂを設け、このレール体５９ｂを摺動自在に把持する、レール体５９ｂと同曲率の一定長の把持部を有する摺動体６３を設け、この摺動体６３の一端にロープ止め６４を支持して設け、このロープ止め６４の一端を上記一方の水平ガイド体６２に当接自在としたものである。
【０００７】
この上越し工具は、図１０に示すように、ロープ止め６４のフック６４ａにロープ６５の一端を留め、ロープ６５の他端を下方から引っ張る。この状態で、ロープ止め６４はその一端を上記一方の水平ガイド体６２に当接している。そして、作業員が地上から操作棒５８の下部を持ってこの工具の先端をロープ６５を乗り越えさせたい電線やケーブル等５２の付近に持って行き、上記電線やケーブル等５２を他方の水平ガイド体６２の上に乗せ、当該工具の操作棒５８を図１０の前進方向に水平にずらす。これにより、電線やケーブル等５２が、回転体５９の一つの切り欠き部５９ａに入り、当該切り欠き部５９ａの内周を押し、回転体５９がこれにより回転する。そのとき上記摺動体６３は、一体なロープ止め６４がロープ６５に引っ張られているため動かず、自体の把持部内を回転体５９のレール体５９ｂが移動しながら回転体５９は回転する。
【０００８】
そして、電線やケーブル等５２の入った切り欠き部５９ａの開口部が一方の水平ガイド体６２の横に来たとき、電線やケーブル等５２が切り欠き部５９ａから外れ、当該水平ガイド体６２の上に乗る。さらに操作棒５８を水平にずらすと、電線やケーブル等５２がロープ止め６４を押し、ロープ止め６４はこれと一体な摺動体６３を回転体５９のレール体５９ｂに沿って移動させ、これによって自らも移動し、一方の水平ガイド体６２から離れる。これにより電線やケーブル等５２はロープ６５の下方にくる。従って、ロープ６５は当該電線やケーブル等５２を乗り越えたこととなる。そして、二本目以降の電線やケーブル等を越える場合、操作棒５８をそのままの状態で、上記と同様に操作すればよい。したがって、上記図８で示した上越し工具のように一本越える毎に操作棒を１８０度回転させる必要がない。また、レール体上でのフックの摺動と比べ、回転体の回転はきわめて容易である。また、上記切り欠き部５９ａが一方の水平ガイド体６２の上面に対向した際、他の一つの切り欠き部５９ａは他方の水平ガイド体６２の上面に対向するように構成されている。
【発明の開示】
【発明が解決しようとする課題】
【０００９】
しかしながらこの開発された上越し工具は、二本目の電線やケーブル等を越える場合、回転体がずれて、回転体の切り欠き部が水平ガイド体の上面に向けて開口していない場合が生じ、操作ができない恐れがある。また、乗り越える電線やケーブル等の外径が大きいものにも適用できるように回転体の切り欠きを大きくするため、回転体の外径を大きくすると、重量がかさみ、操作がしにくくなる。
【００１０】
この発明はこれらの点に鑑みて為されたもので、電柱間の電線やケーブル等の架空線から分岐させて引き込み線用ケーブルを電力需要家等に引き込む場合であって、特に地上から他の電線やケーブル等の上を通して引き込み線用ケーブルを引き込む際、地上から操作棒を使って容易にかつ確実に他の電線やケーブル等の架空線を乗り越えることができる上越し工具を提供することにより上記課題を解決しようとするものである。  
【課題を解決するための手段】
【００１１】
そこで、請求項１の発明は、操作棒の先端に取り付けられる、間隔をあけて設けた二枚の板体の下端をつないだ軸受けを設け、この軸受けの二枚の板体間に軸をわたし、この軸に略半円形の回転体を軸支し、上記軸受けの各板体の両側からアームを突設し、これらのアームの先端の上記回転体の両側外方箇所で水平ガイド体を設け、上記回転体の一側に切り欠き部を設け、上記軸受けに固定した定荷重ばねのばね端を上記回転体に固定し、当該定荷重ばねの力で常時回転体の切り欠き部の開口部が一方の水平ガイド体の上面に対向するようにし、上記回転体の外周縁に沿ってレール体を設け、このレール体を摺動自在に把持する、レール体と同曲率の一定長の把持部を一側に有する摺動体を設け、この摺動体に一端を支持されたロープ止めの他端は、上記他方の水平ガイド体の上面に当接自在である架空線の上越し工具とした。
【００１２】
また、請求項２の発明は、上記請求項１の発明において、回転体の回転を阻止するストッパーを軸受けの二枚の板体間に設け、このストッパーは上記回転体の切り欠き部の開口部が一方の水平ガイド体の上面に対向する位置で回転体の一側が当接する位置に設けた、架空線の上越し工具とした。請求項３の発明は、上記請求項１又は２の発明において、上記ロープ止めにロープを止めるフックを設けた、架空線の上越し工具とした。
【発明の効果】
【００１３】
請求項１の発明によれば、上記図９に示す従来の上越し工具と比べ、上越の対象となる電線やケーブル等の架空線に操作棒の先端の回転体の切り欠き部を引っ掛けて、当該操作棒を横に動かすだけで、上越しができ、しかも、これに続いて二本目の架空線を越える場合も、このまま架空線に上記切り欠き部を引っ掛けて横に動かせばよい。また、摺動体は回転体のレール体と同曲率の一定長の把持部で、回転体に摺動自在に支持されているため、回転体の外周縁に沿って回転しやすく、それ故、回転体は架空線に押された場合に回転し易い。従って、この工具は操作が極めて簡単であり、熟練を要せずに確実に上越し作業ができる。また、上記図１０の上越し工具に比べ、一本目の架空線を上越えする場合でも、また、一本目の架空線を越えて二本目の架空線を上越えする場合でも、定荷重ばねの付勢力により回転体の切り欠き部の開口部は、常に一方の水平ガイド体の上面に対向した位置にあり、従って容易にかつ確実に電線やケーブル等の架空線を上記切り欠き部に導入することができる。また、この発明では回転体の外周に一個の切り欠き部を設けるだけでよいため、上記の図１０の上越し工具の回転体と外径を同じにしても、切り欠き部をより大きなものにでき、架空線の外径の小さなものから大きなものまで広く適用できる。さらに、回転体を略半円形にしたため、当該工具を軽量化でき、操作棒による操作がしやすい。このようにこの発明では、架空線の上越し作業が容易、迅速に、かつ確実に行うことができる優れた効果を持つものである。
【００１４】
また、請求項２の発明によれば、ストッパーにより、回転体の回転を一定位置に規制しているため、常時回転体の切り欠き部を一方の水平ガイド体の上面に、より確実に向けることができる。また、請求項３の発明は、ロープ止めに予めロープを留めるフックを設けたため、ロープ掛けを容易に行うことができる。
【発明を実施するための最良の形態】
【００１５】
操作棒の先端に取り付けられる、間隔をあけて設けた二枚の板体の下端をつないだ軸受けを設け、この軸受けの二枚の板体間に軸をわたし、この軸に略半円形の回転体を軸支し、上記軸受けの各板体の両側からアームを突設し、これらのアームの先端の上記回転体の両側外方箇所で水平ガイド体を設け、上記回転体の一側に切り欠き部を設け、当該回転体の回転を阻止するストッパーを上記軸受けに設け、上記軸受けに固定した定荷重ばねのばね端を上記回転体に固定し、当該定荷重ばねの力で回転体が上記ストッパーに当接し、常時回転体の切り欠き部の開口部が一方の水平ガイド体の上面に対向するようにし、上記回転体の外周縁に沿ってレール体を設け、このレール体を摺動自在に把持する、レール体と同曲率の一定長の把持部を一側に有する摺動体を設け、この摺動体に一端を支持されたロープ止めの他端は、上記他方の水平ガイド体の上面に当接自在である架空線の上越し工具とした。これにより、この工具のロープ止めにロープの一端を係止し、この工具を操作棒の先端に取り付け、作業員が当該操作棒の下部を持って、上記回転体の切り欠き部を架空線に引っ掛け、当該操作棒を横にずらしていくと、回転体が回転し、当該架空線は当該工具の反対側に抜け、上記ロープの下方に入る。これによりロープは当該架空線を上越ししたことなる。その後、このロープを引き込み線用ケーブルに置き換える。
【実施例１】
【００１６】
以下この発明を図面に基いて詳細に説明する。
図１乃至図３はそれぞれ、この発明の上越し工具の正面図、縦断面図、及び平面図を示すものである。間隔をあけて設けた二枚の板体１ａ、１ａの下端をつないだ軸受け１を設けている。この軸受け１の二枚の板体１ａ間に軸２をわたし、この軸２に略半円形の回転体３を軸支している。また、上記軸受け１の各板体１ａの両側からそれぞれアーム４を突設し、これらのアーム４の先端に水平ガイド体５を設けている。これらの水平ガイド体５は、上記回転体３の両側外方箇所に位置し、回転体３と略同一面上にある。また、上記回転体３の一側に架空線を挿入自在な切り欠き部３ａを設けている。また、上記軸受け１の二枚の板体１ａ間に、上記回転体３の回転を阻止するストッパー６を設け、上記軸受け１に固定した定荷重ばね７のばね端７ａを上記回転体３の一側のばね受け８に固定し、当該定荷重ばね７の力で回転体３の一側が上記ストッパー６に当たり、常時回転体３の切り欠き部３ａの開口部が一方の水平ガイド体５の上面に対向するようになっており当該回転体３は、上記ストッパー６と反対側には、上記定荷重ばね７の力に抗して回転可能である。
【００１７】
また、回転体３は、軽量化のために適宜の透孔３ｂを設けている。また、上記回転体３の外周縁に沿って断面Ｔ字形状のレール体９を設けており、このレール体９を摺動自在に把持する、レール体９と同曲率の一定長の溝から成る把持部１０ａを一側に有する摺動体１０を設けている。この摺動体１０は、把持部１０ａにより回転体３の外周に支持され、かつこの回転体３の外周のレール体９に沿って摺動自在であり、上記切り欠き部３ａをまたいで回転体３の外周縁を把持し、摺動する。また、この摺動体１０の一端にロープ止め１１の一端を取り付け、他端は上記他方の水平ガイド体５の上面に当接自在とし、当該ロープ止め１１は摺動体１０にのみ支持されている。このロープ止め１１の外側には、ロープ等を止めるフック１２、及び金具等を係止するサドル１３が設けられている。
【００１８】
次にこの工具の使用方法について説明する。まずこの工具の軸受け１を操作棒１５の先端に固定する。また、上記フック１２にロープ１６の一端を係止する。この状態で上記ロープ止め１１はロープ１６に引っ張られ、その端部を他方の水平ガイド体５の上面に当接しており、また回転体３の一側は上記定荷重ばね７の力でストッパー６に当たっており、回転体３の切り欠き部３ａは一方の水平ガイド体５の上面に対向している。そして、作業員は当該操作棒１５の下部を持って、引き込み線用ケーブルを上越ししたい電線やケーブル等１７の近くに工具をもっていく。そして、図４に示すように、電線やケーブル等１７を一方の水平ガイド体５に乗せ、そのまま操作棒１５を横にずらし（図４の太い矢印方向）、回転体３の切り欠き部３ａに電線やケーブル等１７を入れる。さらに操作棒１５を横にずらすと、当該電線やケーブル等１７に回転体３は押され、上記定荷重ばね７の力に抗して軸２を中心に回転する。その際、上記摺動体１０は一体なロープ止め１１の端部が水平ガイド体５に当たり回転できないので、把持部１０ａ内で回転体３のレール体９が摺動回転する。
【００１９】
そして、回転体３は切り欠き部３ａに電線やケーブル等１７を係止した状態で回転し、図５に示すように、切り欠き部３ａが他方の水平ガイド体５の横に位置したとき、電線やケーブル等１７は切り欠き部３ａから外れ、他方の水平ガイド体５に乗り移る。そしてさらに、操作棒１５を横にずらすと（図５の太い矢印方向）、図６に示すように、電線やケーブル等１７は上記ロープ止め１１を押す。これにより、摺動体１０は把持部１０ａで回転体３のレール体９に沿って摺動し、ロープ止め１１は摺動体１０とともに移動し、その端部を押し上げられて電線やケーブル等１７は当該工具から外れ、ロープ１６の下に入る（図示省略）。これにより、ロープ１６は電線やケーブル等１７を上越ししたこととなる。そしてロープ止め１１及び摺動体１０はロープ１６に引っ張られ、ロープ止め１１の端部が水平ガイド体５の上面に当接した位置に戻る。またこれと同時に、回転体３は定荷重ばね７により引っ張られ、回転体３の一側がストッパー６に当たり回転を阻止されるまで回転し、上記図４の位置に戻る。従って、回転体３の切り欠き部３ａは、一方の水平ガイド体５の上面に対向する。この状態で、他の二本目の電線やケーブル等の上越しをする場合、上記と同様に操作棒１５を操作すればよい。
【００２０】
また、この工具は上記架空線の上越し作業以外にも使用できる。すなわち、この工具を操作棒１５の先端に取り付けて、ロープ止め１１のサドル１３に、中間引き込み線用ケーブルのＴ分岐金具１８を係止し、作業員がこの操作棒１５の下部を持って、メッセンジャーワイヤー（図示省略）に上記Ｔ分岐金具１８を引っ掛ける作業にも使用できる。
【００２１】
なお、上記実施例では、摺動体１０とロープ止め１１とは別体のものを取り付けているが、これらは一体なもので形成してもよい。また、アーム４の先端に設けた水平ガイド体５も、上記実施例ではそれぞれ別体のものとしたが、一体なもので構成してもよい。さらに、回転体３の外周縁のレール体９の形状を断面Ｔ字形状としたが、この形状は断面Ｔ字形状に限定する必要がない。
【図面の簡単な説明】
【００２２】
【図１】この発明の実施例の上越し工具の正面図である。
【図２】この発明の実施例の上越し工具の中央縦断面図である。
【図３】この発明の実施例の上越し工具の平面図である。
【図４】この発明の実施例の上越し工具を操作棒により操作し、回転体の切り欠き部に電線やケーブル等を引っ掛けた状態を示す正面図である。
【図５】この発明の実施例の上越し工具を操作棒により操作し、回転体の切り欠き部に電線やケーブル等を引っ掛けたまま操作棒を横にずらした状態を示す正面図である。
【図６】この発明の実施例の上越し工具を操作棒により操作し、図５の状態からさらに操作棒を横にずらし、ロープ止めを電線やケーブル等で押し上げた状態を示す正面図である
【図７】この発明の実施例の上越し工具を他の用途に使用した状態を示す正面図である。
【図８】電柱間の電線やケーブルを分岐して、引き込み線用ケーブルを電力需要家等に引き込んでいる状態を示す正面図である。
【図９】従来の架空線の上越し工具による、架空線の上越し作業手順を示す説明図であり、（ａ）図は、１本目の架空線の上越し作業手順を示し、（ｂ）図は１本目の架空線の上越し作業後操作棒を１８０度回転させる説明図であり、（ｃ）図は２本目の架空線の上越し作業手順を示すものである。
【図１０】開発された架空線の上越し工具を用いた上越し作業を示す説明図である。
【符号の説明】
【００２３】
１    軸受け
２    軸
３    回転体  
４    アーム
５    水平ガイド体
６    ストッパー
７    定荷重ばね
８    ばね受け
９    レール体
１０    摺動体
１０ａ  把持部
１１    ロープ止め
１５    操作棒
１６    ロープ
１７    電線やケーブル等
【図１】
2006115633.tif 000003
【図２】
2006115633.tif 000004
【図３】
2006115633.tif 000005
【図４】
2006115633.tif 000006
【図５】
2006115633.tif 000007
【図６】
2006115633.tif 000008
【図７】
2006115633.tif 000009
【図８】
2006115633.tif 000010
【図９】
2006115633.tif 000011
【図１０】
2006115633.tif 000012